(57)【要約】【課題】多孔シート状の張材を背凭れフレームの前後両面に張設した場合に、前後における張材の孔部が互いに干渉し合って発生するモアレ模様を、変化に富み、デザイン的にも深みのある優れた模様に鮮明に現出させることができるようにしたパネル装置を提供する。【解決手段】スタンドパネル１における上下方向を向く左右の側部フレーム２ｂの上端同士を、左右方向を向く上部フレーム２ａにより連結して、支持フレーム２を形成するとともに、この支持フレーム２の前面と後面とに、メッシュ状の張材４を張設する。支持フレーム２の前後両面における張材４の前後両面４Ａ，４Ｂそれぞれの網目５，６の形状を同一形状とし、かつそれらの網目５，６の大きさを、支持フレーム２の前面と後面とで異なるものとする。【選択図】  図４
2010207291.tif 000002
【特許請求の範囲】
【請求項１】
上下方向を向く左右の側部フレームの上端同士を、左右方向を向く上部フレームにより連結して、支持フレームを形成するとともに、この支持フレームの前面と後面とに、多孔シート状の張材を張設してなるパネル装置において、
前記支持フレームの前後両面における張材の前後両面の孔部の形状を同一形状とし、かつそれらの孔部の大きさを、前記支持フレームの前面と後面とで異なるものとしたことを特徴とするパネル装置。
【請求項２】
多孔シート状の張材を、メッシュ状の張材とした請求項１記載の椅子の背凭れ装置。
【請求項３】
多孔シート状の張材における各孔部の大きさ、またはメッシュ状の張材における網目の大きさを、支持フレームの前面側を細かく、その後面側を粗くした請求項１または２記載のパネル装置。
【請求項４】
張材の前面側の孔部または網目の大きさを、その後面側の孔部または網目の大きさに対して９５％〜８０％の範囲内のものとした請求項１〜３のいずれかに記載のパネル装置。
【請求項５】
張材を、下方が開口する袋状とした請求項１〜４のいずれかに記載のパネル装置。
【発明の詳細な説明】
【技術分野】
【０００１】
本発明は、たとえばスタンドパネルの支持フレームに多孔シート状の張材、就中メッシュ状（網目状）をなす張材が張設されたパネル装置に係り、特に支持フレームの前面と後面との両面に張材を張設したパネル装置に関する。
【背景技術】
【０００２】
従来のパネル装置、たとえばスタンドパネルにおいては、上下方向を向く左右の側部フレームの上端同士を、左右方向を向く上部フレームにより連結して、支持フレームを形成するとともに、この支持フレームに、多孔シート状をなす張材、たとえば下方が開口する袋状に編成されたメッシュ状をなす張材を、上方から被嵌することにより、前記支持フレームの前面と後面とに、張材が張設されるようにした構成を有するものが公知となっている（特許文献１，２参照）。
【０００３】
しかし、特許文献１，２に記載のパネル装置では、支持フレームの前面と後面とに張設した張材が、メッシュ状の張材であることにより、前後における張材同士の網目が干渉し合って発生する、所謂「干渉縞」であるモアレ模様が、単に網目の形状に似た単一の不鮮明な模様となって現出するに過ぎず、単純で変化に乏しく、デザイン的にも深みがないという問題があった。
【先行技術文献】
【特許文献】
【０００４】
【特許文献１】特許第４０７７３２７号公報
【特許文献２】特開２００３−９３０７３号公報
【発明の概要】
【発明が解決しようとする課題】
【０００５】
本発明は、上記した現状に鑑み、多孔シート状の張材を背凭れフレームの前後両面に張設した場合に、前後における張材の孔部が互いに干渉し合って発生するモアレ模様を、変化に富み、デザイン的にも深みのある優れた模様に鮮明に現出させることができるようにしたパネル装置を提供することを目的としている。
【課題を解決するための手段】
【０００６】
上記課題は、「特許請求の範囲」の欄における各請求項に記載するように、次のような構成からなる発明によって解決される。
【０００７】
(１)   上下方向を向く左右の側部フレームの上端同士を、左右方向を向く上部フレームにより連結して、支持フレームを形成するとともに、この支持フレームの前面と後面とに、多孔シート状の張材を張設してなるパネル装置において、
前記支持フレームの前後両面における張材の前後両面の孔部の形状を同一形状とし、かつそれらの孔部の大きさを、前記支持フレームの前面と後面とで異なるものとする。
【０００８】
（２）  上記（１）項において、多孔シート状の張材を、メッシュ状の張材とする。
【０００９】
（３）  上記（１）項または（２）項において、多孔シート状の張材における各孔部の大きさ、またはメッシュ状の張材における網目の大きさを、支持フレームの前面側を細かく、その後面側を粗くする。
【００１０】
（４）  上記（１）〜（３）項のいずれかにおいて、張材の前面側の孔部または網目の大きさを、その後面側の孔部または網目の大きさに対して９５％〜８０％の範囲内のものとする。
【００１１】
（５）  上記（１）〜（４）項のいずれかにおいて、張材を、下方が開口する袋状とする。
発明の具体的な内容は、次の通りである。
【発明の効果】
【００１２】
本発明によると、次のような効果が奏せられる。
請求項１記載の発明によれば、支持フレームの前後両面における張材の前後両面の孔部の形状を同一形状とし、かつそれらの孔部の大きさを、支持フレームの前面と後面とで異なるものとしてあるため、多孔シート状の張材を支持フレームの前後両面に張設した場合に、前後における張材の孔部が互いに干渉し合って発生するモアレ模様を、孔部の形状に似た複数の集合形状からなる明瞭な模様となって、パネル全面に鮮明に現出させることができ、変化に富み、デザイン的にも深みのある優れた模様に現出させることができる。
【００１３】
請求項２記載の発明によれば、多孔シート状の張材を、メッシュ状をなす張材としてあるため、パネルの通気性と弾力性を向上させる。
【００１４】
請求項３記載の発明によれば、多孔シート状の張材における各孔部の大きさ、またはメッシュ状の張材における網目の大きさを、支持フレームの前面側を細かく、その後面側を粗くしてあるため、張材の張設時において、適正な撓み量を得易くすることができる。
【００１５】
請求４記載の発明によれば、張材の前面側の孔部または網目の大きさを、その後面側の網目の大きさに対して９５％〜８０％の範囲内としてあるため、変化に富み、デザイン的にも深みのある優れたモアレ模様を、より明瞭に現出させることができる。
【００１６】
請求項５記載の発明によれば、張材を、下方が開口する袋状としてあるため、支持フレームに張材を容易に被嵌することができる。
【図面の簡単な説明】
【００１７】
【図１】本発明における一実施形態のパネル装置を示す斜視図である。（実施例）
【図２】同じく、パネル装置における前面の張材の一部を切欠いて、前面の張材と後面の張材を部分的に拡大して示す正面図である。
【図３】図２のIII−III線における一部を拡大して示す縦断面図である。
【図４】支持フレームと張材との被嵌状態を示す分解斜視図である。
【図５】後面の張材に対する前面の張材の網目の大きさの変化（％）によるモアレ模様を示し、図５（Ａ）は、後面の張材に対して前面の張材の網目が９５％の大きさの場合の模様図、図５（Ｂ）は、後面の張材に対して前面の張材の網目が９０％の大きさの場合の模様図、図５（Ｃ）は、後面の張材に対して前面の張材の網目が８０％の大きさの場合の模様図である。
【図６】後面の張材に対する前面の張材の網目の大きさの変化（％）によるモアレ模様のパターンの他の実施形態を示し、図６（Ａ）は、後面の張材に対して前面の張材の網目が９５％の大きさの場合の模様図、図６（Ｂ）は、後面の張材に対して前面の張材の網目が９０％の大きさの場合の模様図、図６（Ｃ）は、後面の張材に対して前面の張材の網目が８０％の大きさの場合の模様図である。
【発明を実施するための形態】
【００１８】
本発明の一実施形態を、添付図面を参照して説明する。
【実施例】
【００１９】
図１は、本発明における一実施形態のパネル装置を示す斜視図、図２は、同じく、パネル装置における前面の張材の一部を切欠いて、前面の張材と後面の張材を部分的に拡大して示す正面図、図３は、図２のIII−III線における一部を拡大して示す縦断面図である。
なお、図１において、「左下」から「右上」を「前後方向」とし、紙面の「左上」から「右下」を「左右方向」として説明する。
【００２０】
図１および図２に示すように、本発明のパネル装置を構成するスタンドパネル１は、左右方向を向く上部フレーム２ａによって上端同士が連結された、上下方向を向く左右１対の側部フレーム２ｂ，２ｂをもって、前面視ほぼ下向きコ字状に折曲して形成したパイプよりなる支持フレーム２を備えるとともに、左右両側部フレーム２ｂ，２ｂの下端の対向面同士は、使用状態での平面視がほぼ後向き凸円弧状をなすパイプ製の可動脚体３をもって連結されている。
【００２１】
支持フレーム２における上部フレーム２ａと両側部フレーム２ｂ及び可動脚体３には、多孔シート状の張材、例えば半透光性もしくは透光性の伸縮自在なクロス又はシート等からなるメッシュ状の張材４が、後方に向かって三次元状に膨出するように張設されている。
【００２２】
図３に示すように、張材４は、支持フレー２に対して前面４Ａ側における網目５と、その後面４Ｂ側における網目６の形状が同一形状となっているとともに、これら網目５，６の大きさは、前面４Ａ側を細かくし、その後面４Ｂ側を粗くなるように、互いに異ならせてある。
これにより、スタンドパネル１を前方から視認したとき、網目５，６の形状に似た複数の集合形状からなる明瞭な模様となって、パネル全面に鮮明に現出しうるようになっている。
【００２３】
この場合、張材４における前面４Ａの網目５の大きさは、後面４Ｂの網目６の大きさを１００％としたときに、前面４Ａの網目５の大きさが、後面４Ｂの網目６に対して９５％から８０％の範囲内とすることが好ましい。
すなわち、張材４における前面４Ａの網目５の大きさが９５％以上のように、後面４Ｂの網目６の大きさと差がない場合には、モレア模様が、従来とほぼ同様に、単純で変化に乏しく、デザイン的にも深みがなく、前面２６Ａの網目２７の大きさが８０％以下、たとえば５０％では、組合せによる面白さがなく、また、２５％以下では、単に、前面２６Ａの網目２７の柄と後面２６Ｂの網目２８の柄とを重ね合わせた、変化に乏しい模様になる。
【００２４】
左右の側部フレーム２ｂと可動脚体３とは、連結部材７、８をもって連結されているとともに、これらの連結部材７，８の下端部には、高さ調整用アジャスタ９が螺合されている。
また、可動脚体３の左右方向の中央部には、接床部材１０が下方よりねじ止めされ、これを接床させることにより、可動脚体３に挿通した張材４の下面が、床面に接触して汚れたり、損傷したりするのを防止しうるようになっている。
【００２５】
図４は、支持フレームへの張材の張設状態を示す分解斜視図である。
【００２６】
支持フレーム２に張材４を張設するには、図４に示すように、袋状に形成した張材４の下部開口を利用して、張材４を支持フレーム２の上端から被嵌することにより行われる。
被嵌後の張材４は、その下端開口部の前後縁を、支持フレーム２における左右の側部フレーム２ｂ，２ｂ間の可動脚体３の下部において、面ファスナ、ホック、ファスナ、その他の結合手段(いずれも図示略)により、互いに結合することにより閉塞される。
【００２７】
図５は、後面の張材に対する前面の張材の網目の大きさの変化（％）によるモアレ模様のパターンを示し、図５（Ａ）は、後面の張材に対して前面の張材の網目が９５％の大きさの場合の模様図、図５（Ｂ）は、後面の張材に対して前面の張材の網目が９０％の大きさの場合の模様図、図５（Ｃ）は、後面の張材に対して前面の張材の網目が８０％の大きさの場合の模様図である。
【００２８】
図５に示すように、張材４における前面４Ａの網目５と後面４Ｂの網目６を、同一形状の丸（球）型にした場合には、網目５，６の丸（球）状の形状に似た複数の集合形状からなる明瞭なモレア模様が、後面の張材４Ｂの網目６に対して前面の張材４Ａの網目５の大きさが小さくなるにしたがって数を増やしながら、パネル全面に鮮明に現出する。
【００２９】
図６は、後面の張材に対する前面の張材の網目の大きさの変化（％）によるモアレ模様のパターンの他の実施形態を示し、図６（Ａ）は、後面の張材に対して前面の張材の網目が９５％の大きさの場合の模様図、図６（Ｂ）は、後面の張材に対して前面の張材の網目が９０％の大きさの場合の模様図、図６（Ｃ）は、後面の張材に対して前面の張材の網目が８０％の大きさの場合の模様図である。
【００３０】
図６に示すように、張材４における前面４Ａの網目５と後面４Ｂの網目６を、同一形状の縦長四角型にした場合には、縦筋状のモレア模様が、規則的に横方向に並列して、パネル全面に亘って鮮明に現出する。
【００３１】
なお、上記の実施形態では、多孔シート状の張材として、クロス等からなるメッシュ状をなす張材を用いたが、孔部を多数開口させたパンチングメタルや、網目状に編成したワイヤ等を用いることも可能である。
【符号の説明】
【００３２】
１    スタンドパネル（パネル装置）
２    支持フレーム
２ａ  上部フレーム
２ｂ  側部フレーム
３    可動脚体
４    張材
４Ａ  前面
４Ｂ  後面
５    網目（孔部）
６    網目（孔部）
７，８  連結部材
９    高さ調整用アジャスタ
１０  接床部材
【図１】
2010207291.tif 000003
【図２】
2010207291.tif 000004
【図３】
2010207291.tif 000005
【図４】
2010207291.tif 000006
【図５】
2010207291.tif 000007
【図６】
2010207291.tif 000008